(57)【要約】【課題】収集対象の収集効率を向上させることが可能となる、収集構造を提供すること。【解決手段】  収集構造１は、第１反射面１０ａを有する第１反射部１０と、第２反射面２０ａを有する第２反射部２０と、第３反射面３０ａを有する第３反射部３０とを備え、第１反射面１０ａと第３反射面３０ａとが相互に対向し、且つ第１反射面１０ａと第３反射面３０ａとの相互間に第２反射面２０ａが位置するように、第１反射部１０、第２反射部２０、及び第３反射部３０を配置し、第１反射面１０ａにて反射された収集対象が第２反射面２０ａに反射された後に、当該反射された収集対象が第１反射面１０ａ、第３反射面３０ａ、及び第２反射面２０ａと順次反射する反射ループが繰り返されるように、第１反射部１０、第２反射部２０、及び第３反射部３０を構成した。【選択図】図２
2020036466.tif 000002
【特許請求の範囲】
【請求項１】
反射性エネルギー又は反射性物質である収集対象を収集するための収集構造であって、
第１反射面を有する第１反射手段と、
第２反射面を有する第２反射手段と、
第３反射面を有する第３反射手段と、を備え、
前記第１反射面と前記第３反射面とが相互に対向し、且つ前記第１反射面と前記第３反射面との相互間に前記第２反射面が位置するように、前記第１反射手段、前記第２反射手段、及び前記第３反射手段を配置し、
前記第１反射面にて反射された前記収集対象が前記第２反射面に反射された後に、当該反射された収集対象が前記第１反射面、前記第３反射面、及び前記第２反射面と順次反射する反射ループが繰り返されるように、前記第１反射手段、前記第２反射手段、及び前記第３反射手段を構成した、
収集構造。
【請求項２】
前記第１反射面にて反射された前記収集対象が前記第２反射面へ入射することが前記第３反射手段によって阻害されないように、前記第３反射手段を構成した、
請求項１に記載の収集構造。
【請求項３】
前記第３反射手段の先端部の近傍から前記第１反射面における前記第３反射手段の先端部の近傍に対向する部分に至るように入射した前記収集対象が前記第２反射面に向けて反射する際の反射角が略直角となるように、前記第３反射手段を構成した、
請求項２に記載の収集構造。
【請求項４】
前記第２反射面上に位置する第１焦点であって前記第１反射面にて反射された前記収集対象が入射する第１焦点と、前記第２反射面上に位置する第２焦点であって前記第３反射面にて反射された前記収集対象が入射する第２焦点とが一致するように、前記第１反射手段、前記第２反射手段、及び前記第３反射手段を構成した、
請求項１から３のいずれか一項に記載の収集構造。
【請求項５】
前記第２反射面の部分のうち、前記第１焦点及び前記第２焦点に対応する部分以外の他の部分の少なくとも一部を、前記第１反射面側とは反対側に向けて窪んだ凹状に形成した、
請求項４に記載の収集構造。
【請求項６】
前記第１反射面及び前記第３反射面の各々は、放物面の一部である、
請求項１から５のいずれか一項に記載の収集構造。
【請求項７】
前記第１反射面の開口直径を、前記第３反射面の開口直径よりも大きくした、
請求項６に記載の収集構造。
【請求項８】
当該収集構造を複数設け、
前記複数の収集構造のうち、隣接する一対の前記収集構造の一方の前記第１反射手段と前記隣接する一対の前記収集構造の他方の前記第２反射手段とが対向するように、前記複数の収集構造を所定方向に沿って並設した、
請求項１から７のいずれか一項に記載の収集構造。
【請求項９】
前記隣接する一対の前記収集構造の一方の前記第１反射手段に前記隣接する一対の前記収集構造の他方の少なくとも前記第２反射手段が収容されるように、当該第１反射手段の一部を凹状に形成した、
請求項８に記載の収集構造。
【請求項１０】
前記隣接する一対の前記収集構造の一方の前記第１反射手段と、前記隣接する一対の前記収集構造の他方の前記第２反射手段又は前記第３反射手段とを一体に形成した、
請求項８に記載の収集構造。
【請求項１１】
前記隣接する一対の前記収集構造の一方の前記第３反射手段が、前記隣接する一対の前記収集構造の一方の前記第２反射手段と対向する前記隣接する一対の前記収集構造の他方の前記第１反射手段よりも前記隣接する一対の前記収集構造の一方の前記第１反射手段側に突出しないように、当該第３反射手段を構成した、
請求項８又は９に記載の収集構造。
【発明の詳細な説明】
【技術分野】
【０００１】
本発明は、収集構造に関する。
【背景技術】
【０００２】
従来、反射性エネルギーや反射性物質を収集する収集構造が提案されている。このような収集構造の一つとして、反射性エネルギーの一種である音エネルギーを吸収する遮音壁が提案されている。この遮音壁は、例えば、圧電素子と振動板とによって構成された振動力発電装置を複数設けて構成されており、騒音の音エネルギーによって振動板を振動変形させ、この振動板の変形により圧電素子を変形させて発電を行うことにより、音エネルギーを吸収して騒音を低減することができる（例えば、特許文献１の段落００１８−００２４、図１）。
【先行技術文献】
【特許文献】
【０００３】
【特許文献１】特開２０１３−１４６１４３号公報
【発明の概要】
【発明が解決しようとする課題】
【０００４】
しかしながら、このような従来の遮音壁においては、振動板以外の部分に音が当たった場合には反射されてしまい、音エネルギーを吸収することができなくなるため、音エネルギーの収集効率の観点から改善の余地があった。また、遮音壁に限らず、反射性エネルギーや反射性物質を収集する他の構造においても、同様の問題があった。
【０００５】
本発明は、上記に鑑みてなされたものであって、反射性エネルギーや反射性物質の如き収集対象の収集効率を向上させることが可能となる、収集構造を提供することを目的とする。
【課題を解決するための手段】
【０００６】
上述した課題を解決し、目的を達成するために、請求項１に記載の収集構造は、反射性エネルギー又は反射性物質である収集対象を収集するための収集構造であって、第１反射面を有する第１反射手段と、第２反射面を有する第２反射手段と、第３反射面を有する第３反射手段と、を備え、前記第１反射面と前記第３反射面とが相互に対向し、且つ前記第１反射面と前記第３反射面との相互間に前記第２反射面が位置するように、前記第１反射手段、前記第２反射手段、及び前記第３反射手段を配置し、前記第１反射面にて反射された前記収集対象が前記第２反射面に反射された後に、当該反射された収集対象が前記第１反射面、前記第３反射面、及び前記第２反射面と順次反射する反射ループが繰り返されるように、前記第１反射手段、前記第２反射手段、及び前記第３反射手段を構成した。
【０００７】
請求項２に記載の収集構造は、請求項１に記載の収集構造において、前記第１反射面にて反射された前記収集対象が前記第２反射面へ入射することが前記第３反射手段によって阻害されないように、前記第３反射手段を構成した。
【０００８】
請求項３に記載の収集構造は、請求項２に記載の収集構造において、前記第３反射手段の先端部の近傍から前記第１反射面における前記第３反射手段の先端部の近傍に対向する部分に至るように入射した前記収集対象が前記第２反射面に向けて反射する際の反射角が略直角となるように、前記第３反射手段を構成した。
【０００９】
請求項４に記載の収集構造は、請求項１から３のいずれか一項に記載の収集構造において、前記第２反射面上に位置する第１焦点であって前記第１反射面にて反射された前記収集対象が入射する第１焦点と、前記第２反射面上に位置する第２焦点であって前記第３反射面にて反射された前記収集対象が入射する第２焦点とが一致するように、前記第１反射手段、前記第２反射手段、及び前記第３反射手段を構成した。
【００１０】
請求項５に記載の収集構造は、請求項４に記載の収集構造において、前記第２反射面の部分のうち、前記第１焦点及び前記第２焦点に対応する部分以外の他の部分の少なくとも一部を、前記第１反射面側とは反対側に向けて窪んだ凹状に形成した。
【００１１】
請求項６に記載の収集構造は、請求項１から５のいずれか一項に記載の収集構造において、前記第１反射面及び前記第３反射面の各々は、放物面の一部である。
【００１２】
請求項７に記載の収集構造は、請求項６に記載の収集構造において、前記第１反射面の開口直径を、前記第３反射面の開口直径よりも大きくした。
【００１３】
請求項８に記載の収集構造は、請求項１から７のいずれか一項に記載の収集構造において、当該収集構造を複数設け、前記複数の収集構造のうち、隣接する一対の前記収集構造の一方の前記第１反射手段と前記隣接する一対の前記収集構造の他方の前記第２反射手段とが対向するように、前記複数の収集構造を所定方向に沿って並設した。
【００１４】
請求項９に記載の収集構造は、請求項８に記載の収集構造において、前記隣接する一対の前記収集構造の一方の前記第１反射手段に前記隣接する一対の前記収集構造の他方の少なくとも前記第２反射手段が収容されるように、当該第１反射手段の一部を凹状に形成した。
【００１５】
請求項１０に記載の収集構造は、請求項８に記載の収集構造において、前記隣接する一対の前記収集構造の一方の前記第１反射手段と、前記隣接する一対の前記収集構造の他方の前記第２反射手段又は前記第３反射手段とを一体に形成した。
【００１６】
請求項１１に記載の収集構造は、請求項８又は９に記載の収集構造において、前記隣接する一対の前記収集構造の一方の前記第３反射手段が、前記隣接する一対の前記収集構造の一方の前記第２反射手段と対向する前記隣接する一対の前記収集構造の他方の前記第１反射手段よりも前記隣接する一対の前記収集構造の一方の前記第１反射手段側に突出しないように、当該第３反射手段を構成した。
【発明の効果】
【００１７】
請求項１に記載の収集構造によれば、第１反射面にて反射された収集対象が第２反射面に反射された後に反射ループが繰り返されるように、第１反射手段、第２反射手段、及び第３反射手段を構成したので、反射ループを繰り返すことができ、第２反射面上の焦点付近で収集対象を効果的に収集することができる。よって、収集対象の収集効率を向上させることが可能となることから、収集対象の利用や低減を効果的に行うことができる。
【００１８】
請求項２に記載の収集構造によれば、第１反射面にて反射された収集対象が第２反射面へ入射することが第３反射手段によって阻害されないように、第３反射手段を構成したので、第１反射面にて反射された収集対象が第２反射面へ入射することが第３反射手段によって阻害されることを回避でき、当該収集対象を確実に反射ループさせることが可能となる。
【００１９】
請求項３に記載の収集構造によれば、第３反射手段の先端部の近傍から第１反射面における第３反射手段の先端部の近傍に対向する部分に至るように入射した収集対象が第２反射面に向けて反射する際の反射角が略直角となるように、第３反射手段を構成したので、上記反射角が直角未満になるように第３反射手段を構成した場合に比べて、反射ループを一層効果的に繰り返すことができると共に、上記反射角が直角を上回る角度になるように第３反射手段を構成した場合に比べて、第１反射面の収集対象の入射量が低減することを回避できることから、収集対象の収集効率を一層向上させることが可能となる。
【００２０】
請求項４に記載の収集構造によれば、第２反射面上に位置する第１焦点と、第２反射面上に位置する第２焦点とが一致するように、第１反射手段、第２反射手段、及び第３反射手段を構成したので、反射ループを一層効果的に繰り返すことができ、収集対象の収集効率を一層向上させることが可能となる。
【００２１】
請求項５に記載の収集構造によれば、第２反射面の部分のうち、第１焦点及び第２焦点に対応する部分以外の他の部分の少なくとも一部を、第１反射面側とは反対側に向けて窪んだ凹状に形成したので、第２反射面の凹状部分で収集対象の反射を繰り返すことができ、収集対象の収集量を増加させることができる。
【００２２】
請求項６に記載の収集構造によれば、第１反射面及び第３反射面の各々は、放物面の一部であるので、反射ループをさらに一層効果的に繰り返すことができ、収集対象を一層効果的に収集することができる。
【００２３】
請求項７に記載の収集構造によれば、第１反射面の開口直径を、第３反射面の開口直径よりも大きくしたので、第１反射面の開口直径を第３反射面の開口直径よりも小さくした場合に比べて、当該収集構造の外部から第１反射面に入射する収集対象の入射量を増やすことができ、収集対象の収集量を増加させることができる。
【００２４】
請求項８に記載の収集構造によれば、隣接する一対の収集構造の一方の第１反射手段と隣接する一対の収集構造の他方の第２反射手段とが対向するように、複数の収集構造を所定方向に沿って並設したので、収集対象の収集量を増やすことができ、ニーズに応じた収集量を得ることが可能となる。また、各収集構造の第１反射面への収集対象の入射が他の収集構造によって妨げられることを回避でき、収集対象の収集量を一層増やすことができる。
【００２５】
請求項９に記載の収集構造によれば、隣接する一対の収集構造の一方の第１反射手段に隣接する一対の収集構造の他方の少なくとも第２反射手段が収容されるように、当該第１反射手段の一部を凹状に形成したので、収集構造を並設するために必要なスペースのコンパクト化を図ることができ、収集構造の設置性を向上できる。
【００２６】
請求項１０に記載の収集構造によれば、隣接する一対の収集構造の一方の第１反射手段と、隣接する一対の収集構造の他方の第２反射手段又は第３反射手段とを一体に形成したので、複数の収集対象を一体に形成でき、収集対象の製造性や設置性を向上できる。
【００２７】
請求項１１に記載の収集構造によれば、隣接する一対の収集構造の一方の第３反射手段が、隣接する一対の収集構造の一方の第２反射手段と対向する隣接する一対の収集構造の他方の第１反射手段よりも隣接する一対の収集構造の一方の第１反射手段側に突出しないように、当該第３反射手段を構成したので、収集対象が複数の収集構造の各々の第１反射手段に入射する際に、収集対象が複数の収集構造の各々の第３反射手段によって阻害されることなく当該第１反射手段にそれぞれ確実に入射させることができ、収集対象の収集効率を一層向上させることが可能となる。
【図面の簡単な説明】
【００２８】
【図１】本発明の実施の形態１に係る収集構造を示す斜視図である。
【図２】図１の平面図である（一部図示省略）。
【図３】収集構造における収集対象の反射状態を概念的に示す図であり、図２に対応する領域を示す図である（一部図示省略）。
【図４】収集構造における収集対象の反射状態を概念的に示す図であり、（ａ）は実施の形態１に係る第１反射面及び第３反射面を完全放物面とした図、（ｂ）は第１反射面及び第３反射面を完全放物面とした図であって、反射角が直角未満となる場合の図、（ｃ）は第１反射面及び第３反射面を完全放物面とした図であって、上記反射角が直角を上回る角度となる場合の図である。
【図５】実施の形態２に係る収集構造を示す図であって、図２に対応する領域を示す図である。
【図６】実施の形態３に係る収集構造を示す図であって、図２に対応する領域を示す図である。
【図７】実施の形態４に係る収集構造を示す図であって、図２に対応する領域を示す図である。
【図８】実施の形態５に係る収集構造を示す図であって、図２に対応する領域を示す図である。
【図９】実施の形態６に係る収集構造を示す図であり、（ａ）は図２に対応する領域を示す図、（ｂ）は収集対象の入射状態を示す図である。
【図１０】実施の形態６に係る収集構造の変形例を示す図であって、図２に対応する領域を示す図である。
【図１１】実施の形態６に係る収集構造の変形例を示す図であって、図２に対応する領域を示す図である。
【図１２】実施の形態６に係る収集構造の変形例を示す図であって、図２に対応する領域を示す図である。
【図１３】実施の形態６に係る収集構造の変形例を示す図であって、図２に対応する領域を示す図である。
【図１４】実施の形態６に係る収集構造の変形例を示す図であって、図２に対応する領域を示す図である。
【図１５】実施の形態６に係る収集構造の変形例を示す図であって、図２に対応する領域を示す図である。
【図１６】実施の形態１に係る収集構造の変形例を示す図であって、図２に対応する領域を示す図である。
【図１７】実施の形態１に係る収集構造の変形例を示す図であって、図２に対応する領域を示す図である。
【図１８】実施の形態１に係る収集構造の変形例を示す図であって、図２に対応する領域を示す図である。
【発明を実施するための形態】
【００２９】
以下に添付図面を参照して、この発明に係る収集構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００３０】
〔Ｉ〕実施の形態の基本的概念
まず、実施の形態の基本的概念について説明する。実施の形態は、概略的に、反射性エネルギー又は反射性物質である収集対象を収集するための収集構造に関するものである。
【００３１】
ここで、「反射性エネルギー」とは、波の性質を持つエネルギーであって、当該波の性質に起因して反射現象を起こすエネルギーを意味しており、例えば、電磁波エネルギー（ガンマ線から極超長波に至る各種波長のエネルギーであって、光エネルギーや電波エネルギーを含む）、音（音波）エネルギー、波（波浪）エネルギー、熱エネルギー、及び放射線エネルギーを含む。また、「反射性物質」とは、反射現象を起こす物質を意味しており、例えば、各種の粒子、埃、塵、放射線源、及びゴルフボールやテニスボールの如き反射性球体を含む。そして、これら反射性エネルギー又は反射性物質の一方又は両方に該当するものを「収集対象」と称する。以下では、収集対象が音エネルギーである場合について説明する。また、「収集」とは、収集対象を寄せ集めることを意味する。このように収集する目的や、収集した収集対象の取扱い方法は任意であるが、例えば、有効利用が困難な収集対象（例えば埃、塵）については廃棄し、有効利用が容易な収集対象（例えば音エネルギーや波エネルギー）については再生エネルギーとして利用することが可能である。以下では、収集した音エネルギーにより発電を行う場合について説明する。
【００３２】
〔ＩＩ〕実施の形態の具体的内容
次に、実施の形態の具体的内容について説明する。
【００３３】
〔実施の形態１〕
【００３４】
（構成）
最初に、実施の形態１に係る収集構造の構成について説明する。図１は、本発明の実施の形態１に係る収集構造を示す斜視図である。図２は、図１の平面図である。なお、以下の説明では、図１のＸ方向を収集構造の左右方向（＋Ｘ方向を収集構造の左方向、−Ｘ方向を収集構造の右方向）、図１のＹ方向を収集構造の前後方向（＋Ｙ方向を収集構造の前方向、−Ｙ方向を収集構造の後方向）、図１のＺ方向を上下方向（＋Ｚ方向を収集構造の上方向、−Ｚ方向を収集構造の下方向）と称する。図１、図２に示すように、この収集構造１は、図示しない設置対象に支持されており、第１反射部１０、第２反射部２０、第３反射部３０、及び発電部４０を備えている。
【００３５】
（構成−第１反射部）
第１反射部１０は、第１反射面１０ａを有する第１反射手段である。この第１反射部１０は、長尺な中空柱状体（具体的には、略中空三角柱状体）に形成されており、図１に示すように、当該第１反射部１０の長手方向が上下方向に沿うように配置されており、図示しない固定対象（例えば、壁等）に対して固定具又は溶接等によって固定されている。
【００３６】
また、第１反射面１０ａの設定方法については任意であるが、実施の形態１では、図２に示すように、第１反射部１０の後面の略全体を、後述する図３の収集対象Ｃを反射する第１反射面１０ａとして設定している。
【００３７】
また、第１反射部１０の材質については任意であるが、実施の形態１では、耐環境性が高いこと、及び製造コストが低いことが好ましいため、これらの条件を考慮して決定する。また、収集対象Ｃを再生エネルギーとして利用する場合には、収集対象Ｃに対する反射率が高いことが好ましいため、この条件を考慮して決定する。例えば、音に対する反射率が比較的高くなるように、金属、コンクリート、又はガラス等で形成してもよい。ただし、反射率については少なくとも第１反射面１０ａにおいて高ければよいことから、第１反射部１０を全体としては反射率が低い材料（一例として、ゴム、発泡スチロール）で形成し、第１反射面１０ａのみを反射率が高い材質で表面処理してもよい。あるいは、収集対象Ｃを再生エネルギーとして利用せずに破棄する場合には、反射率を低減して吸収率を高めることが好ましいため、例えば、収集対象Ｃが音エネルギーである場合には、第１反射面１０ａを吸音材の如き吸収性材料で形成したり、収集対象Ｃが反射性物質である場合には、第１反射面１０ａを活性炭やカーボンブラシの如き吸収性材料で表面処理したりすることで、第１反射面１０ａに吸収性材料を配置してもよい（なお、第２反射部２０の材質、及び第３反射部３０の材質についても同様とする）。
【００３８】
（構成−第２反射部）
第２反射部２０は、第２反射面２０ａを有する第２反射手段である。この第２反射部２０は、長尺な板状体（具体的には、長方形状の板状体）に形成されており、図１に示すように、第１反射部１０と第３反射部３０との相互間において、当該第２反射部２０の長手方向が上下方向に沿うように設けられている。具体的には、図２に示すように、第１反射部１０の左端部から後方に向けて張り出すように配置され、第１反射部１０に対して接続されている。
【００３９】
また、第２反射面２０ａの設定方法については任意であるが、実施の形態１では、第１反射面１０ａと後述の第３反射面３０ａとの相互間に第２反射面２０ａが位置するように設定しており、具体的には、図２に示すように、第２反射部２０の右面の略全体を、収集対象Ｃを反射する第２反射面２０ａとして設定している。
【００４０】
（構成−第３反射部）
第３反射部３０は、第３反射面３０ａを有する第３反射手段である。この第３反射部３０は、長尺な板状体（具体的には、長方形状の板状体）に形成されており、図１に示すように、第２反射部２０よりも後方側において、当該第３反射部３０の長手方向が上下方向に沿うように設けられている。具体的には、図２に示すように、第２反射部２０の後端部から右方に向けて張り出すように配置され、第２反射部２０に対して接続されている。
【００４１】
また、第３反射面３０ａの設定方法については任意であるが、実施の形態１では、第１反射面１０ａと第３反射面３０ａとが相互に対向するように設定しており、具体的には、図２に示すように、第３反射部３０の前面の略全体を、収集対象Ｃを反射する第３反射面３０ａとして設定している。
【００４２】
また、これら第１反射部１０、第２反射部２０、及び第３反射部３０の形成方法については任意であるが、実施の形態１では、公知の成形方法（例えば、射出成形等）により一体形成している。これにより、第１反射部１０、第２反射部２０、及び第３反射部３０を接続する作業の手間を省略でき、収集構造１の製造性を向上できる。ただし、これに限らず、例えば、第１反射部１０、第２反射部２０、又は第３反射部３０の少なくともいずれかを別体に形成してもよい。
【００４３】
（構成−発電部）
図１に戻り、発電部４０は、後述する反射ループが繰り返されることにより収集された反射性エネルギーにより発電する発電手段である。この発電部４０は、図１、図２に示すように、第１反射部１０、第２反射部２０、及び第３反射部３０によって囲繞される空間内において（図２では、後述する第１焦点Ｆ１（又は後述する第２焦点Ｆ２）の近傍位置において）、相互に間隔を隔てて上下方向に沿って複数並設されており、圧電素子４１、振動板４２、及び回路部（図示省略）を備えている。これら各部は、特許文献１に記載されたものと同様に構成することができるため、その詳細な説明については省略するものとし、以下ではその概要のみを説明する。
【００４４】
（構成−発電部−圧電素子）
圧電素子４１は、圧力により変形することで電気を生じる薄板状の素子であり、チタン酸バリウム、ジルコニア等の圧電セラミックス、リチウムタンタレート（ＬｉＴａＯ３）等の圧電単結晶にて形成されている。また、圧電素子４１には、プラス端子（図示省略）とマイナス端子（図示省略）が設けられている（これら各部の図示は省略する）。これらプラス端子とマイナス端子は、圧電素子４１にて発生した電流を外部に出力するための出力端子であり、例えば、プラス端子は圧電素子４１の下面に取り付けられており、マイナス端子は圧電素子４１の上面に取り付けられている。
【００４５】
なお、圧電素子４１として、若しくは圧電素子４１に代えて、外力（歪み、屈曲、若しくは圧縮を生じさせる力を含む）により発電が可能な任意の素材を用いることができ、例えば、イオン導電性高分子の膜（ゲル）の両面に金属（金等）をメッキしたイオン高分子金属複合材料（ＩＰＭＣ：Ｉｏｎｉｃ  Ｐｏｌｙｍｅｒ−Ｍｅｔａｌ  Ｃｏｍｐｏｓｉｔｅ）、イオン導電性高分子ゲル膜（ＩＣＰＦ：Ｉｏｎｉｃ  Ｃｏｎｄｕｃｔｉｎｇ  Ｐｏｌｙｍｅｒｇｅｌ  Ｆｉｌｍ）、これらＩＰＭＣやＩＣＰＦを用いた人工筋肉、ダイナモ、油圧モータ、電磁誘導方式のモータ、超磁歪、エレクトレット等を使用することができる。この点は、後述する他の実施の形態でも同じである。
【００４６】
（構成−発電部−振動板）
振動板４２は、外力によって振動し、この振動を圧電素子４１に伝達することによって、圧電素子４１に応力を加える支持体であると共に、圧電素子４１の割れ強度を補強する補強材を兼ねるものである。この振動板４２は、例えばステンレス薄板等の可撓性と耐久性を有する鋼材等からなる板状体にて形成されており、この振動板４２の一方の側面に圧電素子４１が接着剤等により接合されていると共に、第１反射部１０（あるいは、第２反射部２０又は第３反射部３０）に対して図示しない接続部材を介して振動可能に固定されている。
【００４７】
（構成−発電部−回路部）
回路部は、収集構造１の各種機能を実現するための電気手段である。この回路部は、例えば公知の発電装置用の回路部を用いて構成されており、回路基板に対して、プラス端子、マイナス端子、整流部、及び出力端子（いずれも図示省略）を実装することによって構成されている。
【００４８】
プラス端子は、圧電素子４１のプラス端子と配線（図示省略）を介して電気的に接続され、このプラス端子から出力された電流の入力を受け付ける。マイナス端子は、圧電素子４１のマイナス端子と配線（図示省略）を介して電気的に接続され、このマイナス端子から出力された電流の入力を受け付ける。整流部は、マイナス端子及びプラス端子を介して取得された電流（具体的には交流電流）を直流電流に変換したり、あるいは直流電源の陰極又は陽極をどちらに接続しても構わないように調整したりするための整流手段であり、例えば複数のダイオードを有する公知のブリッジ回路を用いて構成されている。出力端子は、整流部から出力された電流を外部機器（図示省略）に出力するための端子であり、整流部と配線（図示省略）を介して電気的に接続されている。
【００４９】
（構成−収集構造の構成の詳細）
次に、収集構造１の構成の詳細について説明する。図３は、収集構造１における収集対象Ｃの反射状態を概念的に示す図であり、図２に対応する領域を示す図である（一部図示省略）。ただし、この収集構造１は、特記する場合を除いて、任意の形状、方法、及び材質で製造することができる。
【００５０】
（構成−収集構造の構成の詳細−第１の特徴）
まず、収集構造１の構成のうち第１の特徴については、図３に示すように、第１反射面１０ａにて反射された収集対象Ｃが第２反射面２０ａに反射された後に、当該反射された収集対象Ｃが第１反射面１０ａ、第３反射面３０ａ、及び第２反射面２０ａと順次反射するループ（以下、「反射ループ」と称する）が繰り返されるように、第１反射部１０、第２反射部２０、及び第３反射部３０が構成されている。
【００５１】
具体的には、第１反射面１０ａ、第２反射面２０ａ、及び第３反射面３０ａの形状及び大きさについては、実施の形態１では、反射ループを複数回繰り返すことができ、且つ収集対象Ｃの収集量が所望量となるように設定している。例えば、第１反射面１０ａ及び第３反射面３０ａの形状については、図２、図３に示すように、放物面の一部に設定しており、より具体的には、水平断面形状が半放物面に設定している。なお、「半放物面」とは、完全放物面を頂点（又は頂点の近傍）で切断した際の片側の放物面を意味し、例えば、上記頂点を含む半放物面や、上記頂点を含まない半放物面等が該当する。また、第２反射面２０ａの形状については、図２、図３に示すように、平坦面に設定している。また、第１反射面１０ａ及び第３反射面３０ａの開口直径については、図２、図３に示すように、第１反射面１０ａの開口直径を、第３反射面３０ａの開口直径よりも大きく設定している。また、第２反射面２０ａの前後方向の長さについては、図２、図３に示すように、第２反射面２０ａ上において、第１反射面１０ａにて反射された収集対象Ｃが入射する焦点Ｆ１（以下、「第１焦点Ｆ１」と称する）と、第３反射面３０ａにて反射された収集対象Ｃが入射する焦点Ｆ２（以下、「第２焦点Ｆ２」と称する）とが位置する長さに設定することが望ましく、一例として、解析結果や実験結果等に基づいて設定してもよい。
【００５２】
このような第１の特徴により、反射ループを繰り返すことができ、第２反射面２０ａ上の焦点（第１焦点Ｆ１及び第２焦点Ｆ２）付近で収集対象Ｃを効果的に収集することができる。よって、収集対象Ｃの収集効率を向上させることが可能となることから、収集対象Ｃの利用や低減を効果的に行うことができる。特に、第１反射面１０ａ及び第３反射面３０ａの各々が放物面の一部であるので、反射ループを一層効果的に繰り返すことができ、収集対象Ｃを一層効果的に収集することができる。また、第１反射面１０ａの開口直径を第３反射面３０ａの開口直径よりも大きくしたので、第１反射面１０ａの開口直径を第３反射面３０ａの開口直径よりも小さくした場合に比べて、当該収集構造１の外部から第１反射面１０ａに入射する収集対象Ｃの入射量を増やすことができ、収集対象Ｃの収集量を増加させることができる。
【００５３】
（構成−収集構造の構成の詳細−第２の特徴）
図２に戻り、次に、収集構造１の構成のうち第２の特徴については、第１反射面１０ａにて反射された収集対象Ｃが第２反射面２０ａへ入射することが第３反射部３０によって阻害されないように、第３反射部３０が構成されている。
【００５４】
具体的には、図２に示すように、第３反射部３０の先端部（図２では、右端部）と第２焦点Ｆ２とを結ぶ仮想線Ｌの近傍に第３反射部３０が位置し、且つ第３反射部３０と仮想線Ｌとが重ならないように、第３反射部３０が構成されている。より具体的には、第３反射部３０の左右方向の長さを、第３反射部３０の先端部が仮想線Ｌの近傍に位置し、且つ仮想線Ｌよりも左側に位置する程度の長さに設定している。
【００５５】
このような第２の特徴により、第１反射面１０ａにて反射された収集対象Ｃが第２反射面２０ａへ入射することが第３反射部３０によって阻害されることを回避でき、当該収集対象Ｃを確実に反射ループさせることが可能となる。
【００５６】
（構成−収集構造の構成の詳細−第３の特徴）
次に、収集構造１の構成のうち第３の特徴については、第３反射部３０の先端部の近傍から第１反射面１０ａにおける第３反射部３０の先端部の近傍に対向する部分に至るように入射した収集対象Ｃが第２反射面２０ａに向けて反射する際の反射角が略直角となるように、第３反射部３０が構成されている。
【００５７】
図４は、収集構造１における収集対象Ｃの反射状態を概念的に示す図であり、（ａ）は実施の形態１に係る第１反射面１０ａ及び第３反射面３０ａを完全放物面とした図、（ｂ）は第１反射面１０ａ及び第３反射面３０ａを完全放物面とした図であって、上記反射角が直角未満となる場合の図、（ｃ）は第１反射面１０ａ及び第３反射面３０ａを完全放物面とした図であって、上記反射角が直角を上回る角度となる場合の図である。具体的には、図４（ａ）に示すように、第１反射面１０ａ及び第３反射面３０ａを完全放物面とした場合に、第３反射部３０の右端部の近傍から第１反射面１０ａにおける第３反射部３０の右端部の近傍に対向する部分に至るように入射した収集対象Ｃが、第１焦点Ｆ１を通過して第１反射面１０ａに反射した後に第３反射面３０ａの左端部をすれすれに通過する程度に、第３反射部３０が構成され、当該構成された第３反射部３０が頂点で切断された際の片側の部分（図４（ａ）の右側部分）が、実施の形態１に係る第３反射部３０として構成されている。より具体的には、第３反射部３０の左右方向の長さについては、第３反射部３０の先端部と第１反射面１０ａにおける第３反射部３０の先端部に対向する部分（図２では、第１反射面１０ａにおける第３反射部３０の先端部の真ん前の部分）とを結ぶ仮想直線と、第３反射部３０の先端部に対向する部分と第１焦点Ｆ１とを結ぶ仮想直線とからなる角度（内角）が直角となる長さに設定している。
【００５８】
ここで、図４（ｂ）に示すように、上記反射角が直角未満となる第３反射部３０（具体的には、平面形状が図４（ａ）よりも小さい第３反射部３０）に基づいて構成されることも考えられる。しかしながら、この場合には、第３反射部３０の右端部の近傍から第１反射面１０ａにおける第３反射部３０の右端部の近傍に対向する部分に至るように入射した収集対象Ｃは、第１焦点Ｆ１を通過して第１反射面１０ａに反射した後に第３反射面３０ａの左端部から離れたところを通過するので、第１反射面１０ａ及び第３反射面３０ａを半放物面とした場合に反射ループを効果的に繰り返すことが難しくなるという問題が生じる。また、図４（ｃ）に示すように、上記反射角が直角を上回る角度となる第３反射部３０（具体的には、平面形状が図４（ａ）よりも大きい第３反射部３０）に基づいて構成されることも考えられる。しかしながら、この場合には、第３反射部３０の平面形状が比較的大きくなるので、第１反射面１０ａの収集対象Ｃの入射量が低減してしまうという問題が生じる。よって、これらの問題を回避するために、図４（ａ）の第３反射部３０の構成に基づいて、実施の形態１に係る第３反射部３０は構成されている。
【００５９】
このような第３の特徴により、上記反射角が直角未満になるように第３反射部３０を構成した場合に比べて、反射ループを一層効果的に繰り返すことができると共に、上記反射角が直角を上回る角度になるように第３反射部３０を構成した場合に比べて、第１反射面１０ａの収集対象Ｃの入射量が低減することを回避できることから、収集対象Ｃの収集効率を一層向上させることが可能となる。
【００６０】
（構成−収集構造の構成の詳細−第４の特徴）
次に、収集構造１の構成のうち第４の特徴については、図２に示すように、第２反射面２０ａ上に位置する第１焦点Ｆ１と、第２反射面２０ａ上に位置する第２焦点Ｆ２とが一致するように、第１反射部１０、第２反射部２０、及び第３反射部３０が構成されている。
【００６１】
具体的には、第１反射面１０ａ及び第３反射面３０ａの各々の向きが、第１焦点Ｆ１と第２焦点Ｆ２とが一致する向きとなるように、第１反射部１０及び第３反射部３０を配置しており、より具体的には、第１反射面１０ａの頂部が第３反射面３０ａの頂部とが同一線上に位置するように配置している。さらに、第２反射面２０ａの前後方向の長さを、第１焦点Ｆ１と第２焦点Ｆ２とが一致可能な長さに設定しており、一例として、解析結果や実験結果等に基づいて設定している。
【００６２】
このような第４の特徴により、反射ループを一層効果的に繰り返すことができ、収集対象Ｃの収集効率を一層向上させることが可能となる。
【００６３】
（収集構造の作用について）
図３に戻り、続いて、このように構成された収集構造１の作用について説明する。
【００６４】
すなわち、例えば、図３に示すように、収集構造１の外部から入射した収集対象Ｃは、第１反射部１０の第１反射面１０ａで反射することにより、第２反射部２０の第２反射面２０ａ上に位置する第１焦点Ｆ１に向けて進行する。次に、上記第１焦点Ｆ１に向けて進行する収集対象Ｃが、発電部４０に当たることなく進行した後に第２反射面２０ａに当たって（又は発電部４０（具体的には、振動板４２）に当たって）第１反射面１０ａに向けて反射された場合には、この収集対象Ｃは、第１反射面１０ａに反射してから第３反射部３０の第３反射面３０ａに反射した後に、第２反射面２０ａ上に位置する第２焦点Ｆ２に向けて進行する。次いで、上記第２焦点Ｆ２に向けて進行する収集対象Ｃが、発電部４０に当たることなく進行した後に第２反射面２０ａに当たって（又は発電部４０（具体的には、振動板４２）に当たって）第１反射面１０ａに向けて反射された場合には、この収集対象Ｃは、第１反射面１０ａに反射してから第３反射部３０の第３反射面３０ａに反射した後に、第２反射面２０ａ上に位置する第２焦点Ｆ２に向けて進行すること（すなわち、反射ループ）を繰り返すことになる。以降同様に反射ループが繰り返され、最終的には、収集対象Ｃは反射ループによって減衰されて低減又は消滅する。
【００６５】
そして、この第１焦点Ｆ１（又は第２焦点Ｆ２）あるいはその周辺領域において、収集対象Ｃを振動板４２に当てることで当該振動板４２を振動させ、この振動を圧電素子４１に伝達することによって当該圧電素子４１を変形させる。この変形により圧電素子４１にて発生した電流を、圧電素子４１のプラス端子及びマイナス端子を介して回路部のプラス端子及びマイナス端子に出力し、回路部の整流部により整流を経て、回路部の出力端子から出力する。このように出力された電流は、出力端子に接続された図示しない電気機器（例えば、蓄電池、ＬＥＤ等）により利用される。この結果、収集対象Ｃ（実施の形態１においては音エネルギー）を用いて発電を行うことが可能になる。
【００６６】
（効果）
このように実施の形態１によれば、第１反射面１０ａにて反射された収集対象Ｃが第２反射面２０ａに反射された後に反射ループが繰り返されるように、第１反射部１０、第２反射部２０、及び第３反射部３０を構成したので、反射ループを繰り返すことができ、第２反射面２０ａ上の焦点付近で収集対象Ｃを効果的に収集することができる。よって、収集対象Ｃの収集効率を向上させることが可能となることから、収集対象Ｃの利用や低減を効果的に行うことができる。
【００６７】
また、第１反射面１０ａにて反射された収集対象Ｃが第２反射面２０ａへ入射することが第３反射部３０によって阻害されないように、第３反射部３０を構成したので、第１反射面１０ａにて反射された収集対象Ｃが第２反射面２０ａへ入射することが第３反射部３０によって阻害されることを回避でき、当該収集対象Ｃを確実に反射ループさせることが可能となる。
【００６８】
また、第３反射部３０の先端部の近傍から第１反射面１０ａにおける第３反射部３０の先端部の近傍に対向する部分に至るように入射した収集対象Ｃが第２反射面２０ａに向けて反射する際の反射角が略直角となるように、第３反射部３０を構成したので、上記反射角が直角未満になるように第３反射部３０を構成した場合に比べて、反射ループを一層効果的に繰り返すことができると共に、上記反射角が直角を上回る角度になるように第３反射部３０を構成した場合に比べて、第１反射面１０ａの収集対象Ｃの入射量が低減することを回避できることから、収集対象Ｃの収集効率を一層向上させることが可能となる。
【００６９】
また、第２反射面２０ａ上に位置する第１焦点Ｆ１と、第２反射面２０ａ上に位置する第２焦点Ｆ２とが一致するように、第１反射部１０、第２反射部２０、及び第３反射部３０を構成したので、反射ループを一層効果的に繰り返すことができ、収集対象Ｃの収集効率を一層向上させることが可能となる。
【００７０】
また、第１反射面１０ａ及び第３反射面３０ａの各々は、放物面の一部であるので、反射ループをさらに一層効果的に繰り返すことができ、収集対象Ｃを一層効果的に収集することができる。
【００７１】
また、第１反射面１０ａの開口直径を、第３反射面３０ａの開口直径よりも大きくしたので、第１反射面１０ａの開口直径を第３反射面３０ａの開口直径よりも小さくした場合に比べて、当該収集構造１の外部から第１反射面１０ａに入射する収集対象Ｃの入射量を増やすことができ、収集対象Ｃの収集量を増加させることができる。
【００７２】
〔実施の形態２〕
次に、実施の形態２について説明する。この形態は、収集構造を複数並設した形態である。なお、実施の形態１と略同様の構成要素については、必要に応じて、実施の形態１で用いたのと同一の符号又は名称を付してその説明を省略する。
【００７３】
（構成）
最初に、実施の形態２に係る収集構造の構成について説明する。図５は、実施の形態２に係る収集構造を示す図であって、図２に対応する領域を示す図である。実施の形態２に係る収集構造１００は、図５に示すように、実施の形態１に係る収集構造１と略同様に構成されており、所定方向に沿って複数並設されている。
【００７４】
具体的には、複数の収集構造１００のうち、隣接する一対の収集構造１００の一方の第１反射部１０と隣接する一対の収集構造１００の他方の第２反射部２０とが対向するように、左右方向に沿って並設されている。より具体的には、上記隣接する一対の収集構造１００の一方の第１反射部１０と隣接する一対の収集構造１００の他方の第２反射部２０とが当接するように、並設されている。
【００７５】
このような構成により、実施の形態１に係る収集構造１に比べて、収集対象Ｃの収集量を増やすことができ、ニーズに応じた収集量を得ることが可能となる。また、各収集構造１００の第１反射面１０ａへの収集対象Ｃの入射が他の収集構造１００によって妨げられることを回避でき、収集対象Ｃの収集量を一層増やすことができる。
【００７６】
（効果）
このように実施の形態２によれば、隣接する一対の収集構造１００の一方の第１反射部１０と隣接する一対の収集構造１００の他方の第２反射部２０とが対向するように、複数の収集構造１００を所定方向に沿って並設したので、収集対象Ｃの収集量を増やすことができ、ニーズに応じた収集量を得ることが可能となる。また、例えば、各収集構造１００の第１反射面１０ａの一部が他の収集構造１００と重なるように収集構造１００を並設する場合に比べて、各収集構造１００の第１反射面１０ａへの収集対象Ｃの入射が他の収集構造１００によって妨げられることを回避でき、収集対象Ｃの収集量を一層増やすことができる。また、隣接する一対の収集構造１００の一方の第１反射部１０と隣接する一対の収集構造１００の他方の第２反射部２０とが当接するように並設することで、設置スペースをコンパクトにすることができる。
【００７７】
〔実施の形態３〕
次に、実施の形態３について説明する。この形態は、実施の形態２とは異なる形態であって、収集構造を複数並設した形態である。なお、実施の形態２と略同様の構成要素については、必要に応じて、実施の形態２で用いたのと同一の符号又は名称を付してその説明を省略する。
【００７８】
（構成）
最初に、実施の形態３に係る収集構造の構成について説明する。図６は、実施の形態３に係る収集構造を示す図であって、図２に対応する領域を示す図である。実施の形態３に係る収集構造２００は、図６に示すように、実施の形態２に係る収集構造１００と略同様に構成されており、実施の形態２に係る収集構造１００と略同様に、左右方向に沿って複数並設されている。ただし、これら複数の収集構造２００の構成の詳細については、下記に示す工夫が施されている。
【００７９】
すなわち、複数の収集構造２００のうち、隣接する一対の収集構造２００の一方の第１反射部１０に隣接する一対の収集構造２００の他方の少なくとも第２反射部２０が収容されるように、当該第１反射部１０の一部が凹状に形成されている。具体的には、図６に示すように、上記隣接する一対の収集構造２００の一方の第１反射部１０に上記隣接する一対の収集構造２００の他方の少なくとも第２反射部２０（図６では、第２反射部２０のみ）が収容されるように、当該第１反射部１０の部分のうち当該第２反射部２０に対向する部分及びその近傍が当該第１反射部１０の内側に向けて（図６では、左側に向けて）窪んだ凹状に形成されている。そして、図６に示すように、上記隣接する一対の収集構造２００の他方の第２反射部２０は、上記隣接する一対の収集構造２００の一方の第１反射部１０の凹状部分に収容されるように設置されている。
【００８０】
このような構成により、実施の形態２に係る収集構造１００と同様に、収集対象Ｃの収集量を増やすことができ、ニーズに応じた収集量を得ることが可能となる。また、実施の形態２に係る収集構造１００に比べて、収集構造２００を並設するために必要なスペースのコンパクト化を図ることができ、収集構造２００の設置性を向上できる。
【００８１】
（効果）
このように実施の形態３によれば、隣接する一対の収集構造２００の一方の第１反射部１０に隣接する一対の収集構造２００の他方の少なくとも第２反射部２０が収容されるように、当該第１反射部１０の一部を凹状に形成したので、収集構造２００を並設するために必要なスペースのコンパクト化を図ることができ、収集構造２００の設置性を向上できる。
【００８２】
〔実施の形態４〕
次に、実施の形態４について説明する。この形態は、複数の収集構造を一体形成した形態である。なお、実施の形態２と略同様の構成要素については、必要に応じて、実施の形態２で用いたのと同一の符号又は名称を付してその説明を省略する。
【００８３】
（構成）
最初に、実施の形態４に係る収集構造の構成について説明する。図７は、実施の形態４に係る収集構造を示す図であって、図２に対応する領域を示す図である。実施の形態４に係る収集構造３００は、図７に示すように、実施の形態２に係る収集構造１００と略同様に構成されており、実施の形態２に係る収集構造１００と略同様に、左右方向に沿って複数並設されている。ただし、これら複数の収集構造３００の構成の詳細については、下記に示す工夫が施されている。
【００８４】
すなわち、まず、複数の収集構造３００の各々の第１反射部１０は、図７に示すように、第１反射部本体１１及び接続部１２を備えており、これら第１反射部本体１１及び接続部１２を一体形成することで構成されている。このうち、第１反射部本体１１は、第１反射部１０の基本構造体であり、長尺な板状体に形成されており、当該第１反射部本体１１の長手方向が上下方向に沿うように配置されていると共に、第１反射部本体１１の前端部が当該収集構造３００の第２反射部２０と当接するように配置されており、当該第２反射部２０に対して接続されている。また、接続部１２は、第１反射部本体１１と隣接する収集構造３００の第３反射部３０とを接続する接続手段である。この接続部１２は、長尺な板状体に形成されており、当該接続部１２の長手方向が上下方向に沿うように配置されていると共に、接続部１２の前端部が上記隣接する収集構造３００（具体的には、第３反射部３０）と当接するように配置されている。なお、この場合において、第１反射面１０ａの設定方法については任意であるが、実施の形態４では、第１反射部本体１１の後面全体を第１反射面１０ａとして設定している。さらに、接続部１２は、第１反射部本体１１と隣接する収集構造３００の第３反射部３０よりも右側に突出しないように設けられているので、接続部１２によって隣接する収集構造３００の第１反射面１０ａへの収集対象Ｃの入射を阻害されることを回避できる。
【００８５】
さらに、図７に示すように、複数の収集構造３００のうち、隣接する一対の収集構造３００の一方の第１反射部１０と、隣接する一対の収集構造３００の他方の第３反射部３０とが一体に形成されている。具体的には、公知の成形方法を用いて、上記隣接する一対の収集構造３００の一方の第１反射部１０における接続部１２の先端部（図７では、前端部）と上記隣接する一対の収集構造３００の他方の第３反射部３０の先端部（図７では、右端部）とがそれぞれ接続されることにより、一体に形成されている。
【００８６】
このような構成により、複数の収集対象Ｃを一体に形成でき、収集対象Ｃの製造性や設置性を向上できる。
【００８７】
（効果）
このように実施の形態４によれば、隣接する一対の収集構造３００の一方の第１反射部１０と、隣接する一対の収集構造３００の他方の第３反射部３０とを一体に形成したので、複数の収集対象Ｃを一体に形成でき、収集対象Ｃの製造性や設置性を向上できる。
【００８８】
〔実施の形態５〕
次に、実施の形態５について説明する。この形態は、実施の形態４とは異なる形態であって、複数の収集構造を一体形成した形態である。なお、実施の形態２と略同様の構成要素については、必要に応じて、実施の形態２で用いたのと同一の符号又は名称を付してその説明を省略する。
【００８９】
（構成）
最初に、実施の形態５に係る収集構造の構成について説明する。図８は、実施の形態５に係る収集構造を示す図であって、図２に対応する領域を示す図である。実施の形態５に係る収集構造４００は、図８に示すように、実施の形態２に係る収集構造１００と略同様に構成されており、実施の形態２に係る収集構造１００と略同様に、左右方向に沿って複数並設されている。ただし、これら複数の収集構造４００の構成の詳細については、下記に示す工夫が施されている。
【００９０】
すなわち、まず、複数の収集構造４００の各々の第１反射部１０は、図８に示すように、長尺な中実柱状体（具体的には、略中実三角柱状体）に形成されており、当該第１反射部１０の長手方向が上下方向に沿うように配置されている。より具体的には、収集構造４００の外形が実施の形態４に係る収集構造３００の外形と略同一になるように形成されている。ただし、各収集構造４００の第１反射部１０の後端部が尖るように形成されているので、第１反射部１０の後端部が尖っていない場合に比べて収集対象Ｃを第１反射部１０の第１反射面１０ａに確実に入射させることが可能となる。また、実施の形態５では、第１反射部１０における後方部分の少なくとも一部の厚み（左右方向の長さ）が前方に向かうにつれて厚くなるように設定している。以上のような構成により、実施の形態４に係る収集構造３００に比べて、収集構造４００の強度を向上させることできる。
【００９１】
さらに、図８に示すように、複数の収集構造４００のうち、隣接する一対の収集構造４００の一方の第１反射部１０と、隣接する一対の収集構造４００の他方の第２反射部２０及び第３反射部３０とが一体に形成されている。具体的には、公知の成形方法を用いて、上記隣接する一対の収集構造４００の一方の第１反射部１０の前方部分と上記隣接する一対の収集構造４００の他方の第２反射部２０とがそれぞれ接続されると共に、上記隣接する一対の収集構造４００の一方の第１反射部１０の後方部分と上記隣接する一対の収集構造４００の他方の第３反射部３０とがそれぞれ接続されることにより、一体に形成されている。
【００９２】
このような構成により、実施の形態４に係る収集構造３００と略同様に、複数の収集対象Ｃを一体に形成でき、収集対象Ｃの製造性や設置性を向上できる。
【００９３】
（効果）
このように実施の形態５によれば、隣接する一対の収集構造４００の一方の第１反射部１０と、隣接する一対の収集構造４００の他方の第２反射部２０及び第３反射部３０とを一体に形成したので、複数の収集対象Ｃを一体に形成でき、収集対象Ｃの製造性や設置性を向上できる。
【００９４】
〔実施の形態６〕
次に、実施の形態６について説明する。この形態は、実施の形態５とは異なる形態であって、複数の収集構造を一体形成した形態である。なお、実施の形態５と略同様の構成要素については、必要に応じて、実施の形態５で用いたのと同一の符号又は名称を付してその説明を省略する。
【００９５】
（構成）
最初に、実施の形態６に係る収集構造の構成について説明する。図９は、実施の形態６に係る収集構造を示す図であり、（ａ）は図２に対応する領域を示す図、（ｂ）は収集対象Ｃの入射状態を示す図である。実施の形態６に係る収集構造５００ａ、５００ｂは、図９に示すように、実施の形態５に係る収集構造４００と略同様に構成されている。ただし、これら複数の収集構造５００ａ、５００ｂの構成の詳細については、下記に示す工夫が施されている。なお、実施の形態６では、図９（ａ）に示すように、収集構造５００ａの第２反射部２０及び第３反射部３０を組み合わせたものは、収集構造５００ａの第１反射部１０と収集構造５００ｂの第２反射部２０及び第３反射部３０とを組み合わせたものと略同一に構成されているものとする。
【００９６】
すなわち、図９（ａ）に示すように、隣接する一対の収集構造５００ａ、５００ｂの一方の第３反射部３０が、隣接する一対の収集構造５００ａ、５００ｂの一方の第２反射部２０と対向する隣接する一対の収集構造５００ａ、５００ｂの他方の第１反射部１０よりも隣接する一対の収集構造５００ａ、５００ｂの一方の第１反射部１０側に突出しないように、当該第３反射部３０が構成されている。具体的には、収集構造５００ｂの第３反射部３０（図９（ａ）の右側の第３反射部３０）が、収集構造５００ｂの第２反射部２０（図９（ａ）の右側の第２反射部２０）と対向する収集構造５００ａの第１反射部１０（図９（ａ）の左側の第１反射部１０）よりも収集構造５００ｂの第１反射部１０側（図９（ａ）では右側）に突出しないように、当該第３反射部３０（図９（ａ）の右側の第３反射部３０）が構成されている。また、収集構造５００ａの第３反射部３０（図９（ａ）の左側の第３反射部３０）も、図９（ａ）に示すように、収集構造５００ｂの第３反射部３０と同様に構成されている。さらに、収集構造５００ａの第１反射部１０と収集構造５００ｂの第２反射部２０及び第３反射部３０とを組み合わせたものの側面のうち、収集構造５００ａの第１反射部１０の後端部から収集構造５００ｂの第３反射部３０の右端部に至るまでの部分の側面は、上下方向に沿うように平坦状に形成されている（なお、収集構造５００ａの第２反射部２０及び第３反射部３０を組み合わせたものについても同様とする）。
【００９７】
このような構成により、図９（ｂ）に示すように、収集対象Ｃが収集構造５００ａ及び５００ｂの各々の第１反射部１０に対して前後方向に沿うように入射する際に、収集対象Ｃが収集構造５００ａ及び５００ｂの各々の第３反射部３０によって阻害されることなく当該第１反射部１０にそれぞれ確実に入射させることができる。よって、収集対象Ｃの収集効率を一層向上させることが可能となる。
【００９８】
また、この他にも、実施の形態６に係る収集構造５００ａ、５００ｂは、できる限りにおいて任意の構造にて構成可能である。
【００９９】
具体的には、実施の形態６に係る収集構造５００ａ、５００ｂの各々の第２反射面２０ａは、平坦面であると説明したが、これに限らず、例えば、非平坦面であってもよい。図１０から図１４は、実施の形態６に係る収集構造５００ａ、５００ｂの変形例を示す図であって、図２に対応する領域を示す図である。一例として、図１０に示すように、上記第２反射面２０ａは、図１０の左側に向けて窪んだ凹面であると共に、第２反射部２０の厚さが、略均一に設定されてもよい。この場合には、第１焦点Ｆ１及び第２焦点Ｆ２は、第２反射面２０ａ上以外の他の位置に位置してもよい（なお、図１１から図１４の第１焦点Ｆ１及び第２焦点Ｆ２についても同様とする）。また、図１１に示すように、上記第２反射面２０ａは、図１１の左側に向けて窪んだ凹面あり、且つ複数の波状の凹部又は凸部を有する凹面であってもよい。また、図１２、図１３に示すように、上記第２反射面２０ａは、図１２（又は図１３）の左側に向けて窪んだ凹面であると共に、第２反射部２０の厚さが、不均一に設定されてもよい。具体的には、図１２に示すように、第２反射面２０ａの上方部分のみが奥側に向かうについて薄くなるように設定されてもよい。あるいは、図１３に示すように、第２反射面２０ａの上方部分及び下方部分が奥側に向かうについて薄くなるように設定されてもよい。また、図１４に示すように、上記第２反射面２０ａは、図１４の左側に向けて窪んだ凹面あり、且つ複数の鋭利な凹部又は凸部を有する凹面であってもよい。このような図１０から図１４に示す構成により、収集構造５００ａ、５００ｂの各々の第２反射面２０ａの凹状部分で収集対象Ｃの反射を繰り返すことができ（特に、図１１、図１４に示す構成は、収集対象Ｃを複雑に反射させることができる）、収集対象Ｃの収集量を増加させることができる。
【０１００】
（効果）
このように実施の形態６によれば、隣接する一対の収集構造５００ａ、５００ｂの一方の第３反射部３０が、隣接する一対の収集構造５００ａ、５００ｂの一方の第２反射部２０と対向する隣接する一対の収集構造５００ａ、５００ｂの他方の第１反射部１０よりも隣接する一対の収集構造５００ａ、５００ｂの一方の第１反射部１０側に突出しないように、当該第３反射部３０を構成したので、収集対象Ｃが収集構造５００ａ、５００ｂの各々の第１反射部１０に入射する際に、収集対象Ｃが収集構造５００ａ、５００ｂの各々の第３反射部３０によって阻害されることなく当該第１反射部１０にそれぞれ確実に入射させることができ、収集対象Ｃの収集効率を一層向上させることが可能となる。
【０１０１】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１０２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０３】
（収集構造について）
各実施の形態に示した収集構造に関して、設置数や設置位置は任意に変更することができ、例えば、収集構造を、直線上に複数並設したり、特定の軸を対象として左右対称に配置したり、特定の点を対象として放射状や扇状に並設したり、相互に大きさ（例えば、第１反射部１０又は第３反射部３０の半放物面の直径等）が異なる複数の収集構造を並設してもよい。また、複数の収集構造を、左右方向、前後方向、又は上下方向に対して傾斜するように並設してもよい。また、各図に個別的に示した収集構造の全体や一部を相互に組み合わせてもよい。例えば、実施の形態３に係る収集構造２００に実施の形態１に係る収集構造１を加えてもよい。
【０１０４】
また、上記実施の形態２では、複数の収集構造１００のうち隣接する収集構造１００同士が当接するように、複数の収集構造１００が並設されていると説明したが、これに限らない。例えば、複数の収集構造１００が、相互に間隔を隔てて並設されてもよい。
【０１０５】
また、上記実施の形態１から６では、収集構造が設置対象に支持されていると説明したが、これに限らない。図１５は、実施の形態６に係る収集構造５００ａ、５００ｂの変形例を示す図である。例えば、図１５に示すように、実施の形態６に係る収集構造５００ａ、５００ｂは、収集構造５００ａの第２反射部２０に接続された回転軸部５１０を中心として図示しない回転手段（例えばモータ等）によって回転可能に構成されてもよい。このような構成により、実施の形態６に係る収集構造５００ａ、５００ｂを組み合わせたものをパラボラ状に形成したものと同程度に収集対象Ｃを収集することができ、収集対象Ｃの収集量を増加させることができる。
【０１０６】
（各種の反射部について）
上記実施の形態１では、第１反射部１０、第２反射部２０、及び第３反射部３０を組み合わせたものが、長尺状体であると説明したが、これに限らない。図１６、図１７は、実施の形態１に係る収集構造１の変形例を示す図であって、図２に対応する領域を示す図である。例えば、図１６、図１７に示すように、第１反射部１０、第２反射部２０、及び第３反射部３０を組み合わせたものが、パラボラ状に形成されてもよい。一例として、図１６に示すように、第１反射部１０、第２反射部２０、及び第３反射部３０をそれぞれ１つずつ備えるパラボラ状の収集構造１であってもよい。あるいは、図１７に示すように、第１反射部１０、第２反射部２０、及び第３反射部３０をそれぞれ複数備えるパラボラ状の収集構造１であってもよい。これらの場合において、図１６、図１７に示すように、第１反射部１０、第２反射部２０、及び第３反射部３０によって囲繞された空間に複数の発電部４０が設けられてもよい。
【０１０７】
また、上記実施の形態１から６では、第１反射面１０ａにて反射された収集対象Ｃが第２反射面２０ａへ入射することが第３反射部３０によって阻害されないように、第３反射部３０が構成されていると説明したが、これに限らない。例えば、第１反射面１０ａにて反射された収集対象Ｃの一部が第２反射面２０ａへ入射することが第３反射部３０によって阻害されるように、第３反射部３０が構成されてもよい。一例として、第３反射部３０の先端部と仮想線Ｌとが重なるように、第３反射部３０が構成されてもよい。
【０１０８】
また、上記実施の形態１から６では、第２反射面２０ａ上において第１焦点Ｆ１と第２焦点Ｆ２とが一致するように、第１反射部１０、第２反射部２０、及び第３反射部３０が構成されていると説明したが、これに限らない。例えば、第２反射面２０ａ上において第１焦点Ｆ１と第２焦点Ｆ２とが一致しないように、第１反射部１０、第２反射部２０、及び第３反射部３０が構成されてもよい。また、上記実施の形態１から６では、第２反射面２０ａ上に第１焦点Ｆ１と第２焦点Ｆ２とが位置するように、第１反射部１０、第２反射部２０、及び第３反射部３０が構成されていると説明したが、これに限らない。例えば、第２反射面２０ａ上以外の位置（一例として、第２反射部２０の内部）に第１焦点Ｆ１と第２焦点Ｆ２とが位置するように、第１反射部１０、第２反射部２０、及び第３反射部３０が構成されてもよい。
【０１０９】
また、上記実施の形態３では、複数の収集構造２００のうち、隣接する一対の収集構造２００の一方の第１反射部１０に隣接する一対の収集構造２００の他方の第２反射部２０のみが収容されるように、当該第１反射部１０の部分のうち当該第２反射部２０に対向する部分及びその近傍が凹状に形成されていると説明したが、これに限らない。例えば、上記隣接する一対の収集構造２００の一方の第１反射部１０に上記隣接する一対の収集構造２００の他方の第２反射部２０及び第３反射部３０が収容されるように、当該第１反射部１０の部分のうち当該第２反射部２０に対向する部分及びその近傍が凹状に形成されてもよい。
【０１１０】
（各種の反射面について）
上記実施の形態１から６では、第１反射面１０ａ及び第３反射面３０ａの各々が、水平断面形状が半放物面であると説明したが、これに限らない。例えば、水平断面形状が円弧状となる半放物面の形状であってもよい。あるいは、半放物面以外の他の放物面の一部（例えば、第１反射面１０ａの一部、あるいは第３反射面３０ａの一部）であってもよい。
【０１１１】
また、上記実施の形態１では、第２反射部２０の反射面が平坦面であると説明したが、これに限らず、例えば、非平坦面であってもよい。図１８は、実施の形態１に係る収集構造１の変形例を示す図であって、図２に対応する領域を示す図である。一例として、図１８に示すように、第２反射面２０ａの部分のうち、第１焦点Ｆ１及び第２焦点Ｆ２に対応する部分以外の他の部分の少なくとも一部を、第１反射面１０ａ側とは反対側（図１８では、左側）に向けて窪んだ凹状に形成されてもよい。これにより、第２反射面２０ａの凹状部分で収集対象Ｃの反射を繰り返すことができ、収集対象Ｃの収集量を増加させることができる。
【０１１２】
（発電部について）
上記実施の形態１から６では、振動板４２の側面の一方に圧電素子４１を設けた構造（いわゆるユニモルフ型）について説明したが、振動板４２の両側面に圧電素子４１を設けた構造（いわゆるバイモルフ型）としてもよい。
【０１１３】
また、上記実施の形態１から６では、発電部４０が、第１焦点Ｆ１（又は第２焦点Ｆ２）の近傍に配置されていると説明したが、これに限らない。例えば、第１焦点Ｆ１（又は第２焦点Ｆ２）の近傍以外の位置に配置されてもよい。また、第１焦点Ｆ１（又は第２焦点Ｆ２）には、収集された収集対象Ｃを捕集する捕集部を設けて、この捕集部により捕集された収集対象Ｃを捕集部とは異なる位置に配置された発電部４０に導入することにより発電を行ってもよい。一例として、収集対象Ｃが光エネルギーである場合、第１焦点Ｆ１（又は第２焦点Ｆ２）に光ファイバ（捕集部）を設けて、この光ファイバによって捕集された光エネルギーを遠隔位置に導き、この遠隔位置に配置された太陽電池（発電部４０）に照射することで発電を行ってもよい。
【０１１４】
また、上記実施の形態１から６では、第１反射部１０、第２反射部２０、及び第３反射部３０によって囲繞される空間に発電部４０が設けられていると説明したが、これに限らない。例えば、収集対象Ｃを第１反射面１０ａ、第２反射面２０ａ、及び第３反射面３０ａによる反射で減衰させることを目的とする場合には、発電部４０に代えて、吸音材、活性炭、カーボンブラシ等の吸収性材料が設けられてもよい。あるいは、単に発電部４０を省略して、上記囲繞される空間を開放空間としてもよい。
【０１１５】
（付記）
付記１の収集構造は、反射性エネルギー又は反射性物質である収集対象を収集するための収集構造であって、第１反射面を有する第１反射手段と、第２反射面を有する第２反射手段と、第３反射面を有する第３反射手段と、を備え、前記第１反射面と前記第３反射面とが相互に対向し、且つ前記第１反射面と前記第３反射面との相互間に前記第２反射面が位置するように、前記第１反射手段、前記第２反射手段、及び前記第３反射手段を配置し、前記第１反射面にて反射された前記収集対象が前記第２反射面に反射された後に、当該反射された収集対象が前記第１反射面、前記第３反射面、及び前記第２反射面と順次反射する反射ループが繰り返されるように、前記第１反射手段、前記第２反射手段、及び前記第３反射手段を構成した。
【０１１６】
付記２の収集構造は、付記１に記載の収集構造において、前記第１反射面にて反射された前記収集対象が前記第２反射面へ入射することが前記第３反射手段によって阻害されないように、前記第３反射手段を構成した。
【０１１７】
付記３の収集構造は、付記２に記載の収集構造において、前記第３反射手段の先端部の近傍から前記第１反射面における前記第３反射手段の先端部の近傍に対向する部分に至るように入射した前記収集対象が前記第２反射面に向けて反射する際の反射角が略直角となるように、前記第３反射手段を構成した。
【０１１８】
付記４の収集構造は、付記１から３のいずれか一項に記載の収集構造において、前記第２反射面上に位置する第１焦点であって前記第１反射面にて反射された前記収集対象が入射する第１焦点と、前記第２反射面上に位置する第２焦点であって前記第３反射面にて反射された前記収集対象が入射する第２焦点とが一致するように、前記第１反射手段、前記第２反射手段、及び前記第３反射手段を構成した。
【０１１９】
付記５の収集構造は、付記４に記載の収集構造において、前記第２反射面の部分のうち、前記第１焦点及び前記第２焦点に対応する部分以外の他の部分の少なくとも一部を、前記第１反射面側とは反対側に向けて窪んだ凹状に形成した。
【０１２０】
付記６の収集構造は、付記１から５のいずれか一項に記載の収集構造において、前記第１反射面及び前記第３反射面の各々は、放物面の一部である。
【０１２１】
付記７の収集構造は、付記６に記載の収集構造において、前記第１反射面の開口直径を、前記第３反射面の開口直径よりも大きくした。
【０１２２】
付記８の収集構造は、付記１から７のいずれか一項に記載の収集構造において、当該収集構造を複数設け、前記複数の収集構造のうち、隣接する一対の前記収集構造の一方の前記第１反射手段と前記隣接する一対の前記収集構造の他方の前記第２反射手段とが対向するように、前記複数の収集構造を所定方向に沿って並設した。
【０１２３】
付記９の収集構造は、付記８に記載の収集構造において、前記隣接する一対の前記収集構造の一方の前記第１反射手段に前記隣接する一対の前記収集構造の他方の少なくとも前記第２反射手段が収容されるように、当該第１反射手段の一部を凹状に形成した。
【０１２４】
付記１０の収集構造は、付記８に記載の収集構造において、前記隣接する一対の前記収集構造の一方の前記第１反射手段と、前記隣接する一対の前記収集構造の他方の前記第２反射手段又は前記第３反射手段とを一体に形成した。
【０１２５】
付記１１の収集構造は、付記８又は９に記載の収集構造において、前記隣接する一対の前記収集構造の一方の前記第３反射手段が、前記隣接する一対の前記収集構造の一方の前記第２反射手段と対向する前記隣接する一対の前記収集構造の他方の前記第１反射手段よりも前記隣接する一対の前記収集構造の一方の前記第１反射手段側に突出しないように、当該第３反射手段を構成した。
【０１２６】
（付記の効果）
付記１に記載の収集構造によれば、第１反射面にて反射された収集対象が第２反射面に反射された後に反射ループが繰り返されるように、第１反射手段、第２反射手段、及び第３反射手段を構成したので、反射ループを繰り返すことができ、第２反射面上の焦点付近で収集対象を効果的に収集することができる。よって、収集対象の収集効率を向上させることが可能となることから、収集対象の利用や低減を効果的に行うことができる。
【０１２７】
付記２に記載の収集構造によれば、第１反射面にて反射された収集対象が第２反射面へ入射することが第３反射手段によって阻害されないように、第３反射手段を構成したので、第１反射面にて反射された収集対象が第２反射面へ入射することが第３反射手段によって阻害されることを回避でき、当該収集対象を確実に反射ループさせることが可能となる。
【０１２８】
付記３に記載の収集構造によれば、第３反射手段の先端部の近傍から第１反射面における第３反射手段の先端部の近傍に対向する部分に至るように入射した収集対象が第２反射面に向けて反射する際の反射角が略直角となるように、第３反射手段を構成したので、上記反射角が直角未満になるように第３反射手段を構成した場合に比べて、反射ループを一層効果的に繰り返すことができると共に、上記反射角が直角を上回る角度になるように第３反射手段を構成した場合に比べて、第１反射面の収集対象の入射量が低減することを回避できることから、収集対象の収集効率を一層向上させることが可能となる。
【０１２９】
付記４に記載の収集構造によれば、第２反射面上に位置する第１焦点と、第２反射面上に位置する第２焦点とが一致するように、第１反射手段、第２反射手段、及び第３反射手段を構成したので、反射ループを一層効果的に繰り返すことができ、収集対象の収集効率を一層向上させることが可能となる。
【０１３０】
付記５に記載の収集構造によれば、第２反射面の部分のうち、第１焦点及び第２焦点に対応する部分以外の他の部分の少なくとも一部を、第１反射面側とは反対側に向けて窪んだ凹状に形成したので、第２反射面の凹状部分で収集対象の反射を繰り返すことができ、収集対象の収集量を増加させることができる。
【０１３１】
付記６に記載の収集構造によれば、第１反射面及び第３反射面の各々は、放物面の一部であるので、反射ループをさらに一層効果的に繰り返すことができ、収集対象を一層効果的に収集することができる。
【０１３２】
付記７に記載の収集構造によれば、第１反射面の開口直径を、第３反射面の開口直径よりも大きくしたので、第１反射面の開口直径を第３反射面の開口直径よりも小さくした場合に比べて、当該収集構造の外部から第１反射面に入射する収集対象の入射量を増やすことができ、収集対象の収集量を増加させることができる。
【０１３３】
付記８に記載の収集構造によれば、隣接する一対の収集構造の一方の第１反射手段と隣接する一対の収集構造の他方の第２反射手段とが対向するように、複数の収集構造を所定方向に沿って並設したので、収集対象の収集量を増やすことができ、ニーズに応じた収集量を得ることが可能となる。また、各収集構造の第１反射面への収集対象の入射が他の収集構造によって妨げられることを回避でき、収集対象の収集量を一層増やすことができる。
【０１３４】
付記９に記載の収集構造によれば、隣接する一対の収集構造の一方の第１反射手段に隣接する一対の収集構造の他方の少なくとも第２反射手段が収容されるように、当該第１反射手段の一部を凹状に形成したので、収集構造を並設するために必要なスペースのコンパクト化を図ることができ、収集構造の設置性を向上できる。
【０１３５】
付記１０に記載の収集構造によれば、隣接する一対の収集構造の一方の第１反射手段と、隣接する一対の収集構造の他方の第２反射手段又は第３反射手段とを一体に形成したので、複数の収集対象を一体に形成でき、収集対象の製造性や設置性を向上できる。
【０１３６】
付記１１に記載の収集構造によれば、隣接する一対の収集構造の一方の第３反射手段が、隣接する一対の収集構造の一方の第２反射手段と対向する隣接する一対の収集構造の他方の第１反射手段よりも隣接する一対の収集構造の一方の第１反射手段側に突出しないように、当該第３反射手段を構成したので、収集対象が複数の収集構造の各々の第１反射手段に入射する際に、収集対象が複数の収集構造の各々の第３反射手段によって阻害されることなく当該第１反射手段にそれぞれ確実に入射させることができ、収集対象の収集効率を一層向上させることが可能となる。
【符号の説明】
【０１３７】
１  収集構造
１０  第１反射部
１０ａ  第１反射面
１１  第１反射部本体
１２  接続部
２０  第２反射部
２０ａ  第２反射面
３０  第３反射部
３０ａ  第３反射面
４０  発電部
４１  圧電素子
４２  振動板
１００  収集構造
２００  収集構造
３００  収集構造
４００  収集構造
５００  収集構造
５１０  回転軸部
Ｃ  収集対象
Ｆ１  第１焦点
Ｆ２  第２焦点
Ｌ  仮想線
【図１】
2020036466.tif 000003
【図２】
2020036466.tif 000004
【図３】
2020036466.tif 000005
【図４】
2020036466.tif 000006
【図５】
2020036466.tif 000007
【図６】
2020036466.tif 000008
【図７】
2020036466.tif 000009
【図８】
2020036466.tif 000010
【図９】
2020036466.tif 000011
【図１０】
2020036466.tif 000012
【図１１】
2020036466.tif 000013
【図１２】
2020036466.tif 000014
【図１３】
2020036466.tif 000015
【図１４】
2020036466.tif 000016
【図１５】
2020036466.tif 000017
【図１６】
2020036466.tif 000018
【図１７】
2020036466.tif 000019
【図１８】
2020036466.tif 000020